(57)【特許請求の範囲】
【請求項１】
画像形成装置と画像処理装置と画像読取装置とを含み、
前記画像形成装置は、
階調補正用カラーパッチを記録媒体上に画像形成する手段と、
少なくとも１つのカラーパッチを、前記階調補正用カラーパッチが形成された前記記録媒体の裏面に画像形成する手段と、を含み、
前記画像処理装置は、
前記記録媒体から前記少なくとも１つのカラーパッチの裏写り度を測定する手段と、
前記記録媒体の紙白の濃度を測定する手段と、
測定した前記少なくとも１つのカラーパッチの裏写り度及び前記記録媒体の紙白の濃度と各々について予め定められた値との差分が閾値を超えるか否かに応じて、前記画像読取装置にて前記記録媒体を読み取る際に適当な白紙が重ねて読み取られているか否かを判定する判定手段と、を含む
ことを特徴とするシステム。
【請求項２】
前記画像形成装置により形成された前記階調補正用カラーパッチは、原稿画像の画質面から見た原稿の種類に応じた出力モードに基づいて生成されたものであり、
前記画像形成装置は、前記出力モードを示すモード画像を前記記録媒体上に形成し、
前記画像処理装置は、前記モード画像が示す出力モードとデバイスプロファイル作成の際にユーザが指定した出力モードとが一致するか否かを判定する手段をさらに含む
ことを特徴とする請求項１に記載のシステム。
【請求項３】
前記判定手段により前記画像読取装置にて前記記録媒体を読み取る際に適当な白紙が重ねて読み取られていないと判定される場合に、前記階調補正用カラーパッチに基づく階調補正処理を一時停止状態にする手段をさらに含む
ことを特徴とする請求項１に記載のシステム。
【請求項４】
階調補正用カラーパッチのデータからデバイスプロファイルを作成する画像処理装置であって、
前記記録媒体の裏面に形成された、少なくとも１つのカラーパッチのデータから裏写り度を測定する手段と、
前記記録媒体の紙白の濃度を測定する手段と、
測定した前記少なくとも１つのカラーパッチの裏写り度及び前記記録媒体の紙白の濃度と各々について予め定められた値との差分が閾値を超えるか否かに応じて、画像読取装置にて前記記録媒体を読み取る際に適当な白紙が重ねて読み取られているか否かを判定する判定手段と、を含む
ことを特徴とする画像処理装置。
【請求項５】
前記階調補正用カラーパッチは、原稿画像の画質面から見た原稿の種類に応じた出力モードに基づいて生成されたものであり、
前記記録媒体上には前記出力モードを示すモード画像が形成され、
前記モード画像が示す出力モードとデバイスプロファイル作成の際にユーザが指定した出力モードとが一致するか否かを判定する手段をさらに含む
ことを特徴とする請求項４に記載の画像処理装置。
【請求項６】
階調補正用カラーパッチと、前記階調補正用カラーパッチが形成された前記記録媒体の裏面に、少なくとも１つのカラーパッチと、が形成された記録媒体からデバイスプロファイルを生成するコンピュータを、
前記記録媒体から前記少なくとも１つのカラーパッチの裏写り度を測定する手段と、
前記記録媒体の紙白の濃度を測定する手段と、
測定した前記少なくとも１つのカラーパッチの裏写り度及び前記記録媒体の紙白の濃度と各々について予め定められた値との差分が閾値を超えるか否かに応じて、前記画像読取装置にて前記記録媒体を読み取る際に適当な白紙が重ねて読み取られているか否かを判定する判定手段として機能させるためのプログラム。
【発明の詳細な説明】
【技術分野】
【０００１】
本発明は、画像形成装置、記録媒体、画像処理装置、コンピュータの制御方法及びプログラムに関し、特に階調補正における誤操作を防止する技術に関する。
【背景技術】
【０００２】
異なる入出力装置の色表現を一致させるために、プリンタで出力したカラーパッチをスキャンしたデータに基づいて、階調補正を行うことがある。通常では、写真や文字といった原稿画像に応じた出力モードでカラーパッチが出力される。そして、階調補正の精度を確保するために、カラーパッチを出力したシート（以下、階調補正シート）に決められた標準紙を用いたり、階調補正シートに白紙を重ねてスキャンしたりする手続が取られる。
【発明の開示】
【発明が解決しようとする課題】
【０００３】
しかしながら、従来では、階調補正シートをスキャンする際に、階調補正シートがどの出力モードで出力されたものか、また、階調補正シートに標準紙が用いられているか等を自動的に判定することをしていなかった。そのため、誤った出力モードの階調補正シートに基づいて階調補正を行ってしまったり、標準紙を用いていない階調補正シートに基づいて階調補正してしまったりするなど、誤った手続で階調補正をしてしまうことがあった。
【０００４】
本発明は上記課題に鑑みてなされたものであって、その目的の一つは、カラーパッチのスキャン時の人為的な設定ミスや誤った操作が起きたかどうかを自動的に判定できるようにして、階調補正における誤操作を防止することができる画像形成装置、記録媒体、画像処理装置、コンピュータの制御方法及びプログラムを提供することにある。
【課題を解決するための手段】
【０００５】
上記課題を解決するために、本発明に係る画像形成装置は、原稿画像に応じた出力モードに基づいて生成された階調補正用カラーパッチと、前記出力モードを示すモード画像と、を記録媒体上に画像形成する手段を含む、ことを特徴とする。
【０００６】
また、本発明に係るコンピュータ（例えば家庭用ゲーム機、業務用ゲーム機、携帯電話機、携帯用ゲーム機、携帯情報端末、パーソナルコンピュータ、サーバコンピュータ等である。以下、同様。）の制御方法は、原稿画像に応じた出力モードに基づいて生成された階調補正用カラーパッチと、前記出力モードを示すモード画像と、を記録媒体上に画像形成するステップを含む、ことを特徴とする。
【０００７】
また、本発明に係るプログラムは、原稿画像に応じた出力モードに基づいて生成された階調補正用カラーパッチと、前記出力モードを示すモード画像と、を記録媒体上に画像形成する手段、としてコンピュータを機能させるためのプログラムである。プログラムは、ＣＤ−ＲＯＭ（Compact Disk-Read Only Memory）、ＤＶＤ−ＲＯＭ（Digital Versatile Disk-Read Only Memory）、メモリーカードその他のあらゆるコンピュータ読み取り可能な情報記憶媒体に格納することとしてもよい。
【０００８】
本発明では、原稿画像に応じた出力モードに基づいて生成された階調補正用カラーパッチと、出力モードを示すモード画像とを用紙にプリントアウトして階調補正シートを出力する。こうすれば、階調補正シートに階調補正用カラーパッチの出力モードを記録することができる。
【０００９】
また、本発明に係る画像形成装置は、原稿画像に応じた出力モードに基づいて生成された階調補正用カラーパッチを記録媒体上に画像形成する手段と、少なくとも１つのカラーパッチを、前記階調補正用カラーパッチが形成された前記記録媒体の裏面に画像形成する手段と、を含む、ことを特徴とする。
【００１０】
また、本発明に係るコンピュータの制御方法は、原稿画像に応じた出力モードに基づいて生成された階調補正用カラーパッチと、前記出力モードを示すモード画像と、を記録媒体上に画像形成するステップを含む、ことを特徴とする。
【００１１】
また、本発明に係るプログラムは、原稿画像に応じた出力モードに基づいて生成された階調補正用カラーパッチと、前記出力モードを示すモード画像と、を記録媒体上に画像形成する手段、としてコンピュータを機能させるためのプログラムである。
【００１２】
本発明では、原稿画像に応じた出力モードに基づいて生成された階調補正用カラーパッチを用紙の一面に印刷し、その裏面に少なくとも１つのカラーパッチを印刷して、階調補正シートを出力する。こうすれば、階調補正シートの裏写り度を、前記裏面に印刷されたカラーパッチにより測定することができる。
【００１３】
また、本発明に係る記録媒体は、原稿画像に応じた出力モードに基づいて生成された階調補正用カラーパッチと、前記出力モードを示すモード画像と、が形成されることを特徴とする。こうすれば、階調補正シートに階調補正用カラーパッチの出力モードを記録することができる。
【００１４】
また、本発明に係る記録媒体は、原稿画像に応じた出力モードに基づいて生成された階調補正用カラーパッチが画像形成された記録媒体であって、前記階調補正用カラーパッチが形成された前記記録媒体の裏面に、少なくとも１つのカラーパッチがさらに形成される、ことを特徴とする。こうすれば、階調補正シートの裏写り度を、前記裏面に印刷されたカラーパッチにより測定することができる。
【００１５】
また、本発明に係る画像処理装置は、原稿画像に応じた出力モードに基づいて生成された階調補正用カラーパッチと、前記出力モードを示すモード画像と、が形成された記録媒体を走査する画像処理装置であって、前記記録媒体から前記モード画像を検出する手段と、検出した前記モード画像が示す出力モードと、ユーザにより設定された出力モードとが同一であるか否かを判定する判定手段と、を含み、当該判定結果に基づく所定処理が行われる、ことを特徴とする。こうすれば、階調補正シートから、階調補正用カラーパッチの出力モードを取得し、取得した出力モードとユーザにより設定された出力モードとが同一であるか否かを判定することができるため、出力モードの設定ミスを防止することができる。
【００１６】
また、本発明に係る画像処理装置は、原稿画像に応じた出力モードに基づいて生成された階調補正用カラーパッチと、前記出力モードを示すモード画像と、が形成された記録媒体を走査する画像処理装置であって、前記記録媒体から前記階調補正用カラーパッチを検出する手段と、前記記録媒体から前記モード画像を検出する手段と、検出した前記階調補正用カラーパッチに基づいてデバイスプロファイルを生成する手段と、検出した前記モード画像が示す出力モードに対応づけて、生成した前記デバイスプロファイルを記憶する手段と、を含む、ことを特徴とする。こうすれば、階調補正シートから、階調補正用カラーパッチの正しい出力モードを取得できるため、正しい出力モードに対して、階調補正用カラーパッチに基づいて生成したデバイスプロファイルを割り当てることができる。
【００１７】
また、本発明の一態様では、画像処理装置は、生成した前記デバイスプロファイルに対応付けて、走査した前記記録媒体に形成された画像の少なくとも一部を記憶する手段と、をさらに含む、ことを特徴とする。こうすれば、デバイスプロファイルの属性にスキャン画像の一部または全てを保持することができる。
【００１８】
また、本発明に係る画像処理装置は、原稿画像に応じた出力モードに基づいて生成された階調補正用カラーパッチと、前記階調補正用カラーパッチが形成された前記記録媒体の裏面に、少なくとも１つのカラーパッチと、が形成された記録媒体を走査する画像処理装置であって、前記記録媒体から前記少なくとも１つのカラーパッチの裏写り度を測定する手段と、前記記録媒体の紙白の濃度を測定する手段と、測定した前記少なくとも１つのカラーパッチの裏写り度と前記記録媒体の紙白の濃度とから、前記記録媒体に予め定められた記録媒体が用いられているか否かを判定する判定手段と、を含み、当該判定結果に基づく所定処理が行われる、ことを特徴とする。こうすれば、測定した階調補正シートの裏写り度と階調補正シートの紙白の濃度とに基づいて、階調補正シートに決められた標準紙が用いられているか否かを判定することができ、階調補正シートに誤った用紙が用いられることによる階調補正の精度不良を回避することができる。
【００１９】
また、本発明に係る画像処理装置は、原稿画像に応じた出力モードに基づいて生成された階調補正用カラーパッチと、前記階調補正用カラーパッチが形成された前記記録媒体の裏面に、少なくとも１つのカラーパッチと、が形成された記録媒体を走査する画像処理装置であって、前記記録媒体から前記少なくとも１つのカラーパッチの裏写り度を測定する手段と、前記記録媒体の紙白の濃度を測定する手段と、測定した前記少なくとも１つのカラーパッチの裏写り度と前記記録媒体の紙白の濃度とから、前記記録媒体に適当な白紙の重ね合わせがされているか否かを判定する判定手段と、を含み、当該判定結果に基づく所定処理が行われる、ことを特徴とする。こうすれば、測定した階調補正シートの裏写り度と階調補正シートの紙白の濃度とに基づいて、階調補正シートに適当な白紙の重ね合わせがされているか否かを判定することができ、階調補正シートに白紙の重ね合わせをしないことによる階調補正の精度不良を回避することができる。
【発明を実施するための最良の形態】
【００２０】
以下、本発明の好適な実施形態について図面に基づいて詳細に説明する。
【００２１】
図１には、本発明の実施形態に係る画像形成装置及び画像処理装置により構成されるプリントシステムのシステム構成図を示す。図１に示されるように、プリントシステム１は、プリンタ１０、プリントコントローラ１２及びスキャナ１６を含んで構成される。プリンタ１０とプリントコントローラ１２、及び、プリントコントローラ１２とスキャナ１６とは、双方向インターフェースによって相互通信可能に接続される。なお双方向インターフェースは、ＵＳＢ（Universal Serial Bus）接続等を含むシリアルインタフェースやＳＣＳＩ（Small Computer System Interface）である。
【００２２】
プリントシステム１においては、プリントコントローラ１２から階調補正シートの出力の指示を受けて、プリンタ１０は記録用紙に所定のカラーパッチを印刷して階調補正シートの出力を行う。そして、プリントコントローラ１２では、出力された階調補正シートをプリントコントローラ１２に接続されたスキャナ１６で読み取り、デバイスプロファイルを作成するという処理が行われる。
【００２３】
プリンタ１０は、本発明の実施形態に係る画像形成装置を適用した装置である。プリンタ１０は、一般的なプリンタで構成されることとしてよい。プリンタ１０は、プリントコントローラ１２の制御を受け、プリントコントローラ１２から双方向インターフェース１４を介して送られてきた画像データを印刷出力するものである。本実施形態では、プリンタ１０は、プリントコントローラ１２からの階調補正用カラーパッチの出力の要求とともに送信される階調補正用のカラーパッチのデータに基づいて、当該カラーパッチを印刷出力する。また、プリンタ１０が、階調補正用カラーパッチを予め記憶することとして、プリントコントローラ１２から指定された原稿画像に応じた出力モードの階調補正用カラーパッチを取得し出力することとしてもよい。
【００２４】
プリントコントローラ１２は、本発明の実施形態に係る画像処理装置を適用した装置である。プリントコントローラ１２は、一般的なパーソナルコンピュータで構成されることとしてよい。プリントコントローラ１２は、プリンタ１０に対して階調補正用のカラーパッチの出力要求を行う。また、プリントコントローラ１２には、スキャナ１６が接続されており、このスキャナ１６でプリンタ１０で出力された階調補正シートをスキャンする。そして、スキャンして読み取った階調補正用のカラーパッチに基づいて、デバイスプロファイルを作成する。
【００２５】
スキャナ１６は、一般的なスキャナであって構わない。スキャナ１６は、本発明の実施形態に係る記録媒体である階調補正シートを走査する。スキャナ１６は、双方向インターフェース１５を介してプリントコントローラ１２に接続され、スキャナ１６は読み取った画像データをプリントコントローラ１２に送信する。
【００２６】
図２は、プリンタ１０により出力される階調補正シートの一例を示す図である。同図に示すように、階調補正シート２０は、記録媒体に階調補正用カラーパッチ２２とモード画像２４とが同一の面に画像形成されたものである。
【００２７】
階調補正用カラーパッチ２２は、原稿画像に応じた出力モードに基づいて生成されたカラーパッチである。出力モードとは、画質面から見た原稿の種類を表す複数の出力モードのことをいう。具体的には、出力モードには、文字モード（文字が主体の原稿）、文字・写真モード（文字と写真が混在する原稿）、印刷写真モード（網点で印刷した写真が主体の原稿）、印画紙モード（印画紙にプリントした写真の原稿）などが存在する。そして、階調補正用カラーパッチ２２は、上記の出力モードに応じて出力される。これは、出力する原稿が異なると出力時のスクリーンが異なるため、それぞれの出力対象のスクリーンに合わせて階調補正を行う必要があるからである。そして、階調補正用カラーパッチ２２は、図２に示されているように、色相、明度（輝度）の異なる複数のカラーパッチを配列したものである。
【００２８】
モード画像２４は、出力モードを示す画像である。本実施形態では、出力モードは色によって表現することとするが、これに限られず、モード画像２４の色濃度や出力モードを符号化したパターン画像、例えば２次元バーコード等により表現することとしてもよい。また、モード画像２４は、画像を別途用意しなくとも、既にある画像に出力モード情報を符号化することで表現してもよい。例えば、階調補正用カラーパッチ２２の印刷位置を示す情報を符号化した画像に対して、その画像を出力モードに応じた色に塗り分けることで、出力モードを示すこととしてもよい。そうすることで、必要以上に階調補正シートに印刷する画像を増やすことなく、出力モードを表現することも可能となる。
【００２９】
図３は、階調補正シートの階調補正用カラーパッチが形成される面の裏面の一例を示す図である。本発明では、階調補正シートの前面というときは、階調補正用カラーパッチが印刷される面を指し、裏面というときは、階調補正用カラーパッチが印刷される面の裏面を指すこととする。同図に示すように、階調補正シートの階調補正用カラーパッチが形成される面の裏面の下部に、カラーパッチ２６が印刷される。このカラーパッチ２６は、階調補正シートを前面から走査した場合に、当該カラーパッチ２６の裏写り度を測定するためのものである。カラーパッチ２６が階調補正シートの裏面の下部に印刷されるのは、裏写りを確認するに際して、前面に印刷された階調補正用カラーパッチと重ならないようにするためである。従って、印刷する位置は下部に限らず、前面の余白に対応する部分であれば下部以外でも構わない。
【００３０】
カラーパッチ２６は、少なくとも１つのカラーパッチにより構成されるものである。本実施形態では、図３に示すように、４つのカラーパッチが印刷されているが、これらのカラーパッチは同一の色、濃度で構成されることとしてもよいし、それぞれが異なる色、濃度で構成されることとしてもよい。このカラーパッチ２６は、階調補正シートに標準紙を使用しているか否かと、階調補正シートのスキャン時に当該シートに適当な白紙の重ね合わせをしているか否かを判定するために用いられるものである。
【００３１】
図４は、プリンタ１０の機能ブロック図である。プリンタ１０は、機能的には、受信部３０と画像形成部３２を含んで構成される。
【００３２】
受信部３０は、プリントコントローラ１２から出力対象となる画像データを受信するものである。本実施形態では、受信部３０は、双方向インターフェース１４を介して、階調補正用カラーパッチデータ２３、モード画像データ２５及びカラーパッチデータ２７を受信する。
【００３３】
画像形成部３２は、原稿画像に応じた出力モードに基づいて生成された階調補正用カラーパッチと、出力モードを示すモード画像と、を記録媒体上に画像形成し、階調補正用カラーパッチが形成された記録媒体の裏面に、少なくとも１つのカラーパッチを画像形成するものである。画像形成部３２は、プリンタ１０のハードウェアを用いて実現されるものである。プリンタ１０は、受信部３０で受信した、階調補正用カラーパッチデータ２３、モード画像データ２５とカラーパッチデータ２７に基づいて、階調補正用カラーパッチ２２とモード画像２４とを印刷用紙の前面に印刷し、その用紙の裏面にカラーパッチ２６を印刷して、階調補正シート２０を出力する。
【００３４】
図５は、プリントコントローラ１２の機能ブロック図である。プリントコントローラ１２は、機能的には、モード画像検出部４０、階調補正用カラーパッチ検出部４２、裏写り度測定部４４、紙白濃度測定部４６、判定部４８、判定結果処理部５０、デバイスプロファイル生成部５２及びデバイスプロファイル記憶部５４を含んで構成される。
【００３５】
モード画像検出部４０は、階調補正シートを走査して、モード画像を検出するものである。モード画像検出部４０は、例えば、図２に示されるように、モード画像が階調補正シートの所定の部位、例えばシートの四隅に印刷することとする場合には、当該所定部位を走査してモード画像を検出することとする。
【００３６】
階調補正用カラーパッチ検出部４２は、階調補正シートから階調補正用カラーパッチを検出するものである。階調補正用カラーパッチ検出部４２は、階調補正シート全体を走査して階調補正用カラーパッチを検出することとしてもよいが、例えば、モード画像が階調補正用カラーパッチ位置の指定情報を符号化した画像の色を塗り分けて表現されたものである場合には、それに含まれる位置指定情報に基づき、階調補正シートから階調補正用カラーパッチを検出することとしてもよい。
【００３７】
裏写り度測定部４４は、階調補正シートを走査して、カラーパッチの裏写り度を測定するものである。本実施形態では、裏写り度測定部４４は、階調補正シートの前面を走査し、裏面に印刷されたカラーパッチの濃度データを計測する。そして、計測した濃度データに基づいて濃度ヒストグラムを作成し、作成した濃度ヒストグラムから、濃度のピーク数がいくつあるかを計測する。本実施形態では、この濃度のピーク数をカラーパッチの裏写り度とする。なお、濃度のピーク数とは、近似する濃度値が密集している場合における密集した濃度値群の個数を示す。
【００３８】
紙白濃度測定部４６は、階調補正シートの紙白の濃度を測定するものである。本実施形態では、紙白濃度測定部４６は、走査した階調補正シートの前面の余白から一又は複数の部分を抽出し、それらの部分の濃度データを計測する。そして、計測した濃度データに基づいて濃度ヒストグラムを生成し、作成した濃度ヒストグラムから、濃度ヒストグラムの最頻値を測定する。本実施形態では、階調補正シートの紙白の濃度は、測定した濃度ヒストグラムの最頻値に対応する濃度とする。
【００３９】
判定部４８は、階調補正処理において、誤設定や誤操作がされたか否かを判定するものである。判定部４８は、本実施形態では、以下の３種の判定を行う。
【００４０】
第１種の判定は、モード画像検出部４０で検出したモード画像が示す出力モードと、ユーザにより設定された出力モードとが同一であるか否かに関する判定である。これにより、ユーザが誤って指定した出力モードと、モードの異なる階調補正シートをセットしてしまった場合を自動的に検知することができる。具体的には、出力モードごとに固有の識別情報を割り当てたテーブルを保持しておき、上記の判定は、出力モードに基づいて前記テーブルを参照し、対応付けられた識別情報をそれぞれ比較することで行うことができる。
【００４１】
第２種の判定は、検出したカラーパッチの裏写り度と階調補正シートの紙白の濃度とから、階調補正シートに予め定められた記録媒体が用いられているか否かに関する判定である。これにより、ユーザが誤って、階調補正シートに決められた標準紙を用いなかった場合を自動的に検知することができる。具体的には、例えば、階調補正シートに標準紙を用いた場合のカラーパッチの裏写り度と紙白の濃度を予め測定して記憶しておいて、その記憶された値と測定した値との差分がある閾値を超えるか否かで上記の判定を行うことができる。
【００４２】
そして、第３種の判定は、検出したカラーパッチの裏写り度と階調補正シートの紙白の濃度とから、階調補正シートに適当な白紙の重ね合わせがされているか否かに関する判定である。これにより、ユーザが誤って、階調補正シートに白紙を重ねてスキャンしなかった場合を自動的に検知することができる。具体的には、例えば、階調補正シートに適当な白紙の重ね合わせをした場合のカラーパッチの裏写り度と紙白の濃度を予め測定して記憶しておいて、その記憶された値と測定した値との差分がある閾値を超えるか否かで上記の判定を行うことができる。
【００４３】
判定結果処理部５０は、判定部４８の判定結果に基づいて所定処理を行うものである。判定結果処理部５０は、本実施形態では、判定部４８での判定結果をユーザに通知するものとする。判定結果処理部５０は、判定部４８により、誤操作、誤設定がされたと判定すると、その誤操作の内容をプリントコントローラ１２に接続されたディスプレイに表示して、ユーザに通知する。この場合に、例えば、ディスプレイに確認ボタンを表示して、その確認ボタンが押下されるまで、プリントコントローラ１２における階調補正処理を一時停止状態にすることとしてもよい。
【００４４】
デバイスプロファイル生成部５２は、階調補正シートの階調補正用カラーパッチに基づいて、デバイスプロファイルを作成するものである。具体的には、プリンタ１０で印刷された階調補正シートに含まれるカラーパッチの色に関する測定がスキャナ１６を用いて行われ、測定値を利用して各パッチの標準色空間における表色値が測定データとして蓄積される。そして、予め記憶してあるカラーパッチのデバイス空間での表色値を参照し、各カラーパッチについて、標準色空間における表色値とデバイス色空間における表色値との関連付けにより、デバイスプロファイルの作成を行う。
【００４５】
デバイスプロファイル記憶部５４は、モード画像検出部４０で検出したモード画像が示す出力モードに対応づけて、デバイスプロファイル生成部５２で生成したデバイスプロファイルを記憶するものである。また、デバイスプロファイル記憶部５４には、生成したデバイスプロファイルに対応付けて、走査した階調補正シートに形成された画像の少なくとも一部をさらに記憶することとしてもよい。
【００４６】
図６は、プリントシステム１における階調補正処理のフロー図である。同フロー図において、Ｓ１０１、Ｓ１０３〜Ｓ１０９はプリントコントローラ１２における処理、Ｓ１０２はプリンタ１０における処理である。プリントコントローラ１２は、ユーザによって指定された出力モードに基づき、メモリ内に格納された出力モードと階調補正用のカラーパッチとの対応テーブルを参照して、出力モードに応じたデバイスプロファイル作成用のカラーパッチを取得する。また、モード画像の色として、メモリ内の出力モードと色指定データとの対応テーブルを参照し、出力モードに対応づけられた色指定データをモード画像の描画色とする。そして、階調補正シートの出力指示をプリンタ１０に対して行い、それとともに、階調補正用パッチデータと、モード画像と、少なくとも１つのカラーパッチとを示す画像データを送信する（Ｓ１０１）。階調補正シートの出力指示を受信したプリンタ１０は、受信した出力モードに対応した階調補正用パッチデータと、前記出力モードを示すモード画像と、を記録媒体上に画像形成し、前記階調補正用カラーパッチが形成された前記記録媒体の裏面に、少なくとも１つのカラーパッチを画像形成して、階調補正シートを出力する（Ｓ１０２）。
【００４７】
次に、プリントコントローラ１２における階調補正処理を以下に説明する。プリントコントローラ１２は、プリントコントローラ１２に接続されたスキャナ１６にセットされた階調補正シートをスキャンし（Ｓ１０３）、モード画像を検出する（Ｓ１０４）。また、階調補正シートの裏面に印刷されたカラーパッチの裏写り度と、階調補正シートの紙白濃度の測定を行う（Ｓ１０５）。そして、ユーザの設定ミス、すなわち、検出したモード画像が示す出力モードと、ユーザがプリントコントローラ１２に設定した出力モードとが同一であるか否かを判定する（Ｓ１０６）。また、測定した裏写り度と紙白濃度に基づいて、階調補正シートが決められた標準紙を用いているのか、また、階調補正シートのスキャン時の白紙の重ね合わせは適当であったのか、について判定を行う（Ｓ１０６）。以上の判定において、設定のミスや誤った手続で階調補正を行っていると判定される場合には、その判定結果がプリントコントローラ１２に接続されたディスプレイを介して、ユーザに通知される（Ｓ１０７）。その場合には、ユーザは階調補正シートのスキャンにまで戻って、再度階調補正を行うこととしてもよい。設定のミス等がない場合には、階調補正シートの階調補正用カラーパッチに基づいてデバイスプロファイルを作成し（Ｓ１０８）、検出した出力モードに対応付けて、そのデバイスプロファイルを記憶し（Ｓ１０９）、処理を終了する。
【００４８】
以上説明した本発明の実施形態に係るプリンタ１０により出力された階調補正シートに基づいて階調補正するプリントコントローラ１２によれば、カラーパッチのスキャン時の人為的な設定ミスや誤った操作が起きたかどうかを自動的に判定できため、階調補正における誤操作を防止することができる。
【００４９】
なお、本発明は上記実施形態に限定されるものではない。
【００５０】
例えば、階調補正シートに印刷される階調補正用カラーパッチ、モード画像等の形状や印刷位置は、図２、図３で示されたものに限られるものではない。
【図面の簡単な説明】
【００５１】
【図１】本発明の実施形態に係る画像形成装置及び画像処理装置により構成されるプリントシステムのシステム構成図を示す。
【図２】プリンタ１０により出力される階調補正シートの一例を示す図である。
【図３】階調補正シートの階調補正用カラーパッチが形成される面の裏面の一例を示す図である。
【図４】プリンタ１０の機能ブロック図である。
【図５】プリントコントローラ１２の機能ブロック図である。
【図６】プリントシステム１における階調補正処理のフロー図である。
【符号の説明】
【００５２】
１  プリントシステム、１０  プリンタ、１２  プリントコントローラ、１４，１５  双方向インターフェース、１６  スキャナ、２０  階調補正シート、２２  階調補正用カラーパッチ、２３  階調補正用カラーパッチデータ、２４  モード画像、２５  モード画像データ、２６  カラーパッチ、２７  カラーパッチデータ、３０  受信部、３２  画像形成部、４０  モード画像検出部、４２  階調補正用カラーパッチ検出部、４４  裏写り度測定部、４６  紙白濃度測定部、４８  判定部、５０  判定結果処理部、５２  デバイスプロファイル生成部、５４  デバイスプロファイル記憶部。
【図１】
0004492460.tif 000002
【図２】
0004492460.tif 000003
【図３】
0004492460.tif 000004
【図４】
0004492460.tif 000005
【図５】
0004492460.tif 000006
【図６】
0004492460.tif 000007